(57)【要約】【課題】カフ装着時の回転による位置ずれと測定中における空気袋の圧迫部位の位置ずれを抑制することができる血圧計用カフを提供する。【解決手段】カフの内面側の内面に設けられた滑り止め手段はカフの長手方向に沿って形成されており、空気袋の膨張時に最も高くなる部分を中心として遠ざかるに従い高くなり、中心にいく程低くなっている。これにより、カフ装着時の回転による位置ずれと測定中のカフによる圧迫部位の位置ずれを抑制することができる。また、滑り止め手段の設けられている部分のカフ外面側にはその設けられている位置がわかるようにマーキングされていて、より正しい測定方法で測定を行うための目印となる。【選択図】図１
2008237520.tif 000002
【特許請求の範囲】
【請求項１】
被測定者の被測定部位に装着されて被測定者の血管を圧迫する血圧計用カフであって、血管を圧迫するための空気袋と、該空気袋を被測定部位に密着させるための内帯とを有し、該内帯に滑り止め手段が設けられており、該滑り止め手段は該内帯の長手方向に沿って形成されており、前記空気袋の膨張時に最も高くなる部分を中心として該中心から遠ざかるにしたがって高くなっている血圧計用カフ。
【請求項２】
前記被測定部位を固定させるための装着部材を有し、該装着部材の前記滑り止め手段の設けられている部分に相当する位置にマーキングを有することを特徴とする請求項1に記載の血圧計用カフ。
【発明の詳細な説明】
【技術分野】
【０００１】
本発明は血圧計用カフに関するものであり、特に手首式血圧計用カフに関する。
【背景技術】
【０００２】
例えば、従来の手首式血圧計としては特許文献１に開示されたものが挙げられる。この特許文献１に開示される手首式血圧計の構造としては、図８に示すように手首９に巻きつける血圧計用カフ１０と本体装置とを備えている。血圧計用カフ１０は本体装置から送り込まれる空気が供給される空気袋１と、この空気袋１を手首９に装着するための帯状の装着部材２とを備える。また、装着部材２の手首９側には内帯３が設けられ装着部材２と内帯３とによって規定される空間に空気袋が収容されている。
【０００３】
手首９はとう骨５、尺骨６、とう骨動脈４、尺骨動脈７、複数の腱８等からなり、この手首式血圧計では空気袋１によりとう骨動脈４を選択的に圧迫することでとう骨動脈４からの脈波を検出して血圧測定を行う。
【０００４】
【特許文献１】特開昭６１−１１０１９号公報（２頁、第３図）
【発明の開示】
【発明が解決しようとする課題】
【０００５】
従来の血圧計用カフ１０の手首９への装着において血圧計用カフ１０を締める際に血圧計用のカフ１０がＡの方向に回転してしまい、動脈の最適な位置に空気袋１を位置決めすることができない。最適な位置に空気袋１を位置決めすることができないと正しい測定方法で血圧を測定することができず、測定結果に影響を及ぼす。
【課題を解決するための手段】
【０００６】
この課題を解決するために、本発明は以下に示す構成を採用する。
本発明の血圧計用カフは、被測定者の被測定部位に装着されて被測定者の血管を圧迫する血圧計用カフであって、血管を圧迫するための空気袋と、空気袋を被測定部位に密着させるための内帯とを有し、内帯に滑り止め手段が設けられており、滑り止め手段は内帯の長手方向に沿って形成されており、空気袋の膨張時に最も高くなる部分を中心として中心から遠ざかるにしたがって高くなっていることを特徴とする。
【０００７】
また、被測定部位を固定させるための装着部材を有し、装着部材の滑り止め手段の設けられている部分に相当する位置にマーキングを有することが好ましい。
【発明の効果】
【０００８】
カフ内面側の内帯に設けられている滑り止め手段は、血圧計用カフの腕の方向に平行な断面から見ると曲面状となっている。このような形状をとることによって血圧計用カフを手首に装着する際に手首にフィットしやすい構造となっている。そのため、血圧計用カフを締める際に、血圧計用カフの回転による位置ずれを抑制することができる。
【０００９】
血圧計用カフを装着時には、血圧計用カフの腕の方向に平行な断面から見ると曲面状となっている滑り止め手段は手首と内帯との隙間を埋めるような配置を取っており、測定中もカフの内帯と手首との間での位置ずれを起こすことなく圧迫できるため、空気袋による圧迫がとう骨動脈に効率よく伝わり、より有効な圧迫を行うことができる。
【００１０】
カフの外面側の装着部材には、カフの内帯に設けられている滑り止め手段の位置に相当する部分にマーキングが設けられている。そして、空気袋の膨張時に最も高くなる部分に相当する位置にもマーキングが設けられている。これらのマーキングはカフの装着部材と色を変えるなどして区別できるようにするとより好ましく、更に、これらのマーキングの色を変えるとより好ましい。これにより測定者は血圧計用カフを身に付けたときにどの部分が圧迫されるかを認識することができ、より正しい測定方法で血圧を測定することができる。
【００１１】
滑り止め手段がカフ内面側の内帯に断続的に設置されている場合、血圧計用カフの空気袋膨張時に最も高くなる部分とその両側に滑り止め手段が設けられていれば、滑り止め手段は一体なものでなくても同様の効果を得ることができる。より好ましくは、血圧計用カフの空気袋膨張時に最も高くなる部分に設けられた滑り止め手段の表面積を減らすことにより手首との接触する面積が減るため、測定時の痛みを緩和することができる。
【００１２】
滑り止め手段がカフ内面側の内帯に断続的に設けられている場合において、血圧計用カフの空気袋膨張時に最も高くなる部分とその両側に複数個の滑り止め手段が設けられている。このように滑り止め手段の表面積を減らすことにより、手首との接触する面積が減るため、測定時の痛みを緩和することができる。滑り止め手段は、空気袋膨張時に最も高くなる部分を中心として遠ざかるにしたがって高くなり、中心にいく程低くなっている形状となっていれば、滑り止め手段の表面は曲面状でなくても同様の効果が得られる。また、滑り止め手段をカフの内帯に断続的に設けることで、複数の素材を組み合わせて設置することができる。これにより、測定時の痛みをより緩和する組み合わせを適用することができる。
【００１３】
カフ内面側の内帯に設けられた滑り止め手段は、血圧計用カフの空気袋膨張時に最も高くなる部分を中心として遠ざかるに従って高くなり、中心にいく程低くなっている形状となっている。更に、滑り止め手段の腕の軸に平行な方向に対しての幅は空気袋膨張時に最も高くなる部分において最小となり、遠ざかるに従って大きくなる形状となっている。このように滑り止め手段の表面積を減らすことにより、滑り止め手段の性能を落とすことなく、かつ、測定中の痛みを軽減することができる。
【発明を実施するための最良の形態】
【００１４】
図１は本発明の血圧計用カフの実施形態を示す断面図である。本発明の血圧計用カフ２０は、本体装置から送り込まれる空気が供給される空気袋１と、この空気袋１を手首９に装着し、手首９を固定するための帯状の装着部材２とを備える。装着部材２の手首９側には空気袋１を手首９に密着させるための内帯３が設けられ、装着部材２と内帯３によって規定される空間に空気袋１が収容されている。そして、内帯３にはカフ装着時の回転による位置ずれと測定中における空気袋の圧迫部位の位置ずれを抑制するための滑り止め手段２１が設けられている。
【００１５】
手首９はとう骨５、尺骨６、とう骨動脈４、尺骨動脈７、複数の腱８などからなり、この手首式血圧計では空気袋１によりとう骨動脈４を選択的に圧迫することでとう骨動脈４からの脈波を検出して血圧測定を行う。
【００１６】
図２は本発明の血圧計用カフの空気袋膨張時における断面図である。血圧計用カフ２０の内面側の内帯３に設けられた滑り止め手段２１は腕の軸に平行な方向に対して断面から見ると曲面状となっており、血圧計用カフ２０を装着時には、手首９と内帯３との隙間を埋めるように配置される。そのため、測定中もカフの内帯３と手首９との間で位置ずれを起こすことがないので、図２の矢印で示すように空気袋１による圧迫がとう骨動脈４に効率よく伝わり、より有効な圧迫を行うことができる。
【００１７】
図３は本発明の滑り止め手段２１を示した斜視図である。図2、図3に示したように、この滑り止め手段２１は、空気袋１の膨張時に最も高くなる部分２４を中心として遠ざかるにしたがって高くなり、中心にいくほど低くなっている形状をしており、手首９の形状にフィットしやすい構造となっている。そして、本発明の血圧計用カフを手首９に装着したとき、腕の軸方向に対して平行な断面から見ると、滑り止め手段２１は曲面状となっている。
【００１８】
この滑り止め手段２１にはシリコーン、ポリエチレン系から成るゲル状シート、発泡ゴム、塩化ビニルの発泡体、豚皮や合成皮革などの皮、ソルボセイン、ポリビニルクロライド、低反発ウレタン、軟質ウレタンフォーム等の素材を用いることが可能である。例えば、滑り止め手段２１の高さは空気袋１の膨張時に最も高くなる部分２４付近では１ｍｍ程度。空気袋１の膨張時に最も高くなる部分２  ４から遠ざかるにしたがって滑り止め手段２１は高くなり、端の部分の高さは３ｍｍ程度である。
【００１９】
図４は図３に示す滑り止め手段２１の変形例を示した斜視図である。滑り止め手段２１はカフ内面側の内帯３に断続的に設置されている。血圧計用カフ２０の空気袋膨張時に最も高くなる部分２４とその両端に滑り止め手段２１が設けられていれば、滑り止め手段２１は一体なものでなくても設置することができる。血圧計用カフ２０の空気袋膨張時に最も高くなる部分２４に設けられた滑り止め手段２１の表面積を減らすことにより手首９との接触する面積が減るため、測定時の痛みを緩和することができる。例えば、血圧計用カフ２０の空気袋膨張時に最も高くなる部分２４に設けられた滑り止め手段２１の表面積を１ｃｍ2〜４ｃｍ2程度にすることでより測定時の痛みを緩和することができる。
【００２０】
図５は図３に示す滑り止め手段２１の変形例を示した斜視図である。滑り止め手段２１はカフ内面側の内帯３に断続的に設けられている。血圧計用カフ２０の空気袋膨張時に最も高くなる部分２４とその両端に複数個の滑り止め手段２１が設けられている。このように滑り止め手段２１の表面積を減らすことにより、手首９との接触する面積が減るため、測定時の痛みを緩和することができる。例えば、滑り止め手段２１のそれぞれの間隔は１〜２ｍｍ程度である。また、滑り止め手段２１の高さは、空気袋膨張時に最も高くなる部分２４に設けられた滑り止め手段２１は１ｍｍ程度、最も端に設けられている滑り止め手段２１は３ｍｍ程度、その間に設けられた滑り止め手段２１は１〜３ｍｍ程度の間で適宜設置することができる。
【００２１】
図６は図３に示す滑り止め手段２１の変形例を示した斜視図である。カフ内面側の内帯３に設けられた滑り止め手段２１は、血圧計用カフ２０の空気袋膨張時に最も高くなる部分２４を中心として遠ざかるに従って高くなり、中心にいく程低くなっている形状となっている。最も低い部分で１ｍｍ程度、最も高い部分で３ｍｍ程度である。更に、滑り止め手段２１の腕の軸に平行な方向に対しての幅は空気袋膨張時に最も高くなる部分２４において最小となり、遠ざかるに従って大きくなる形状となっている。このように滑り止め手段２１の表面積を減らすことにより、図３に示す滑り止め手段２１の性能を落とすことなく、かつ、測定中の痛みを軽減することができる。空気袋膨張時に最も高くなる部分２４においての腕の軸に平行な方向に対しての幅aは、例えば、１ｃｍ程度である。
【００２２】
図７は血圧計用カフ２０の外面である装着部材２の側から見た平面図を示す。滑り止め手段２１が設けられている位置に相当する部分にマーキングがされている。例えば、血圧計用カフ２０の外面である装着部材２と異なる色で着色するなどしてもよいし、目印として固形物を接着するなどしてもよい。このマーキング２２は測定者が認識できるようなものであればどのようなものでも構わない。そして、空気袋１の膨張時に最も高くなる部分２４の位置にもマーキング２２とは異なるマーキング２５が設けられている。これにより
測定者は血圧計用カフ２０を身に付けたときにどの部位が圧迫されるか認識することができ、より正しい測定方法で測定を行うことができる。
【図面の簡単な説明】
【００２３】
【図１】本発明の血圧計用カフの実施形態を示す断面図である。
【図２】本発明の血圧計用カフの空気袋膨張時の断面図である。
【図３】本発明の血圧計用カフの内帯に設けられた滑り止め手段の概要図である。
【図４】本発明の血圧計用カフの内帯に設けられた滑り止め手段の変形例を示す概要図である。
【図５】本発明の血圧計用カフの内帯に設けられた滑り止め手段の変形例を示す概要図である。
【図６】本発明の血圧計用カフの内帯に設けられた滑り止め手段の変形例を示す概要図である。
【図７】本発明の血圧計用カフの外面である装着部材の側から見た平面図である。
【図８】従来の手首式血圧計用カフの構造を示す断面図である。
【符号の説明】
【００２４】
１  空気袋
２  装着部材
３  内帯
４  とう骨動脈
５  とう骨
６  尺骨
７  尺骨動脈
８  腱
９  手首
１０  血圧計用カフ
２０  血圧計用カフ
２１  滑り止め手段
２２  マーキング
２３  エアーチューブ
【図１】
2008237520.tif 000003
【図２】
2008237520.tif 000004
【図３】
2008237520.tif 000005
【図４】
2008237520.tif 000006
【図５】
2008237520.tif 000007
【図６】
2008237520.tif 000008
【図７】
2008237520.tif 000009
【図８】
2008237520.tif 000010